(57)【特許請求の範囲】
【請求項１】
前面側に遊技球を用いた遊技を行う遊技領域が設けられた遊技盤と、
前記遊技盤の下部後側に設けられ、遊技に関する制御を行う主制御装置と、
前記遊技盤の前記遊技領域に形成された視認部を介して前方から画面を視認可能に、前記遊技盤の中間部後側に設けられ、前記画面に画像を表示可能な画像表示装置と、
前記遊技盤の中間部後側に設けられ、演出に関する制御を行う演出制御装置と、
前記遊技盤を着脱可能に保持する枠部材と、
前記枠部材に設けられた前記主制御装置に関わる電気部品と電気的に接続されて、前記枠部材に設けられた枠部材側ドロワーコネクタと、
前記主制御装置と電気的に接続されて前記遊技盤の後側に設けられ、前記遊技盤が前記枠部材に装着保持される際に前記枠部材側ドロワーコネクタと嵌合して電気的に接続される遊技盤側ドロワーコネクタとを備え、
前記遊技盤の下部後側に、前記遊技盤側ドロワーコネクタが配設されるコネクタ基板が設けられ、
前記コネクタ基板は、前記遊技盤の下部後側において前記主制御装置の左右方向に並んで配置され、前記コネクタ基板の一部と前記主制御装置の一部とが上下方向から見て互いに重なるように構成され、
前記画像表示装置の後側に重ねて前記演出制御装置が結合され、
前記遊技盤の後側に、互いに結合された前記画像表示装置および前記演出制御装置が固定される固定部材が設けられており、
前記画像表示装置と前記画像表示装置に結合される前記演出制御装置との相対位置関係を変えることにより、前記固定部材を介して前記遊技盤の後側に固定される前記画像表示装置の位置を、前記視認部の配置に応じて調整することが可能な位置調整手段が設けられ、
前記位置調整手段は、前記画像表示装置および前記演出制御装置のうち一方を他方に対し上下方向にスライド移動させることで、前記画像表示装置と前記画像表示装置に結合される前記演出制御装置との上下方向の相対位置関係を変えることが可能であることを特徴とする弾球遊技機。
【発明の詳細な説明】
【技術分野】
【０００１】
本発明は、ぱちんこ遊技機等の弾球遊技機に関する。
【背景技術】
【０００２】
ぱちんこ遊技機に代表される弾球遊技機は、遊技球による遊技を行う遊技領域が設けられた遊技盤を保持する枠部材に、払出装置および各種制御基板が装着された裏機構盤が取り付けられて構成される（例えば、特許文献１を参照）。そして、発射機構により遊技領域の上側に打ち出した遊技球を落下させる過程で、遊技領域内に設けた各種の入賞装置に入賞させる遊技が行われる。遊技領域には、各種の入賞装置の他、遊技性を高めるためにセンター飾りや画像表示装置が設けられる。近年、枠部材と遊技盤とに跨って設けられたドロワーコネクタを用いて、枠部材に対して遊技盤を装着すると同時に遊技盤と枠部材との電気的な接続を行うことが可能な、ぱちんこ遊技機が考案されている。
【先行技術文献】
【特許文献】
【０００３】
【特許文献１】特開２００７−２９１８２号公報
【発明の概要】
【発明が解決しようとする課題】
【０００４】
しかしながら、このような従来の弾球遊技機では、遊技盤の後側に設けられる主制御装置およびドロワーコネクタの配置を設計的に変更するのが困難であるため、遊技盤の種類が異なると、遊技盤の後側に設けられる画像表示装置および演出制御装置の形状を変更する必要があった。
【０００５】
本発明は、このような課題に鑑みてなされたものであり、画像表示装置および演出制御装置を共用化することが可能な弾球遊技機を提供することを目的とする。
【課題を解決するための手段】
【０００６】
このような目的達成のため、本発明に係る弾球遊技機は、前面側に遊技球を用いた遊技を行う遊技領域が設けられた遊技盤と、前記遊技盤の下部後側に設けられ、遊技に関する制御を行う主制御装置と、前記遊技盤の前記遊技領域に形成された視認部を介して前方から画面を視認可能に、前記遊技盤の中間部後側に設けられ、前記画面に画像を表示可能な画像表示装置と、前記遊技盤の中間部後側に設けられ、演出に関する制御を行う演出制御装置と、前記遊技盤を着脱可能に保持する枠部材と、前記枠部材に設けられた前記主制御装置に関わる電気部品と電気的に接続されて、前記枠部材に設けられた枠部材側ドロワーコネクタと、前記主制御装置と電気的に接続されて前記遊技盤の後側に設けられ、前記遊技盤が前記枠部材に装着保持される際に前記枠部材側ドロワーコネクタと嵌合して電気的に接続される遊技盤側ドロワーコネクタとを備え、前記遊技盤の下部後側に、前記遊技盤側ドロワーコネクタが配設されるコネクタ基板が設けられ、前記コネクタ基板は、前記遊技盤の下部後側において前記主制御装置の左右方向に並んで配置され、前記コネクタ基板の一部と前記主制御装置の一部とが上下方向から見て互いに重なるように構成され、前記画像表示装置の後側に重ねて前記演出制御装置が結合され、前記遊技盤の後側に、互いに結合された前記画像表示装置および前記演出制御装置が固定される固定部材が設けられており、前記画像表示装置と前記画像表示装置に結合される前記演出制御装置との相対位置関係を変えることにより、前記固定部材を介して前記遊技盤の後側に固定される前記画像表示装置の位置を、前記視認部の配置に応じて調整することが可能な位置調整手段が設けられ、前記位置調整手段は、前記画像表示装置および前記演出制御装置のうち一方を他方に対し上下方向にスライド移動させることで、前記画像表示装置と前記画像表示装置に結合される前記演出制御装置との上下方向の相対位置関係を変えることが可能である。
【発明の効果】
【０００７】
本発明によれば、画像表示装置および演出制御装置を共用化することができる。
【図面の簡単な説明】
【０００８】
【図１】ぱちんこ遊技機からガラス枠を取り外した状態を示す正面図である。
【図２】ガラス枠を前方から見た斜視図である。
【図３】ぱちんこ遊技機の背面図である。
【図４】遊技盤を前方から見た斜視図である。
【図５】前枠の正面図である。
【図６】前枠の背面図である。
【図７】遊技盤における遊技盤側コネクタ部の近傍を示す斜視図である。
【図８】遊技盤が前枠に対して取り付けられる途中の状態を示す平断面図である。
【図９】（ａ）は遊技盤が前枠に対して揺動している状態を示す平断面図であり、（ｂ）は遊技盤が前枠に対して取り付けられた状態を示す平断面図である。
【図１０】ブラケットが取り外された遊技盤を前方から見た斜視図である。
【図１１】遊技盤の側断面図である。
【図１２】遊技盤における主制御装置、画像表示装置、および演出制御ユニットの相対位置関係を示す右斜視図である。
【図１３】遊技盤における主制御装置、画像表示装置、および演出制御ユニットの相対位置関係を示す左斜視図である。
【図１４】遊技盤における主制御装置、画像表示装置、および演出制御ユニットの相対位置関係を示す背面図である。
【図１５】画像表示装置および演出制御ユニットの背面図である。
【図１６】図１５中の矢印XVI−XVIに沿った断面図である。
【図１７】画像表示装置および演出制御ユニットの斜視図である。
【図１８】画像表示装置および演出制御ユニットの分解斜視図である。
【発明を実施するための形態】
【０００９】
以下、本発明の好ましい実施形態について図面を参照して説明する。本実施形態に係る弾球遊技機としてぱちんこ遊技機ＰＭを図１〜図４に示しており、まず、この図を参照してぱちんこ遊技機ＰＭの全体構成について説明する。本実施形態において、図２の各矢印で示す方向をそれぞれ、上下方向、前後方向、左右方向として説明する。
【００１０】
［ぱちんこ遊技機の全体構成］
始めに、ぱちんこ遊技機ＰＭの前面側の基本構造を説明する。ぱちんこ遊技機ＰＭは、図１に示すように、外郭方形枠サイズに構成された縦向きの固定保持枠をなす外枠１と、これに合わせた方形枠サイズに構成されて開閉搭載枠をなす前枠２とを主体に構成される。前枠２は、外枠１および前枠２の左側縁部に配設された上下のヒンジ機構３ａ，３ｂにより、外枠１の前側開口部に対して横開き開閉および着脱が可能に取り付けられる。また、前枠２は、右側縁部に設けられたダブル錠と称される施錠装置４を利用して、常には外枠１と係合連結された閉鎖状態に保持される。
【００１１】
前枠２の前面側には、図２に示すように、この前枠２の上部前面域に合わせた方形状のガラス枠５が上下のヒンジ機構３ａ，３ｂを利用して横開き開閉および着脱可能に組み付けられる。ガラス枠５は、上述の施錠装置４を利用して、常には前枠２の前面を覆う閉鎖状態に保持される。図１に示すように、前枠２の上側に設けられた収容枠１００に遊技盤２００が着脱可能にセット保持され、常には閉鎖保持されるガラス枠５の複層ガラス５ａを通して、遊技盤２００の前面に設けられた遊技領域ＰＡを視認可能に臨ませるようになっている。なお、図１において遊技領域ＰＡの詳細な記載を省略している。
【００１２】
遊技盤２００は、透明の樹脂材料を用いて板状に形成されたベース部材２１１の前面側に、内外のレール部２１２，２１３により囲まれて略円形状の遊技領域ＰＡが形成されるようになっている。図４に示すように、遊技盤２００の遊技領域ＰＡには、多数本の遊技
釘とともに、遊技球が入球可能な一般入賞装置２２１、第１および第２始動入賞装置２２２，２２３、第１および第２大入賞装置２２４，２２５等の各種入賞装置、遊技の展開状態に応じた演出画像を表示する画像表示装置３００、上下の可動装飾装置２２７，２２８が設けられるセンター飾り２２６等が取り付けられている。また、遊技領域ＰＡの下端部には、遊技球が通過可能なアウト口２２９が形成されている。
【００１３】
外レール部２１２は、下側が開いた円弧状に形成されており、発射機構２２から発射された遊技球を遊技領域ＰＡへ導くようになっている。内レール部２１３は、右側が開いた円弧状に形成されており、遊技盤２００（ベース部材２１１）の前面において外レール部２１２の左側部分に対し所定間隔を空けるように配設されることで、外レール部２１２の左側部分との間に発射通路２１５が形成されるようになっている。
【００１４】
図２に示すように、ガラス枠５の下部前面側には、遊技球を貯留する上下の球皿（上球皿６ａおよび下球皿６ｂ）が設けられる。ガラス枠５の上部前面側には、発光ダイオード（ＬＥＤ）やランプ等の電飾装置７や、遊技の展開状態に応じて効果音を発生させるスピーカ８が設けられる。
【００１５】
図１に示すように、前枠２の右下部には、遊技球の発射操作を行う発射ハンドル９が設けられる。前枠２の下部におけるガラス枠５の後側の領域（以降、遊技補助盤２０と称する）には、上球皿６ａに貯留された遊技球を１球ずつ送り出す整流器２１、整流器２１から送り出された遊技球を遊技領域ＰＡに向けて打ち出す発射機構２２、発射機構２２の作動を制御する発射制御基板２３等が設けられる。
【００１６】
続いて、ぱちんこ遊技機ＰＭの後面側の基本構造を説明する。図３に示すように、前枠２の後面側には、中央に前後連通する窓口を有して前枠２よりも幾分小型の矩形枠状に形成された裏機構盤３０が取り付けられている。裏機構盤３０の各部には、遊技施設側から供給される遊技球を貯留するタンク部材３３、タンク部材３３から供給される遊技球を流下させる樋部材３４、樋部材３４を流下する遊技球を払い出す賞球払出ユニット３５、賞球払出ユニット３５から払い出された遊技球を上球皿６ａもしくは下球皿６ｂに流下させる裏側通路部材３６等が設けられている。また、裏機構盤３０には、遊技盤２００の後側を全体的に覆う遊技盤カバー３９が取り付けられる。
【００１７】
遊技盤２００の後側には、ぱちんこ遊技機ＰＭの作動を統括的に制御する主制御装置４０（図１４を参照）や、遊技展開に応じた画像表示、効果照明、効果音等の演出全般の制御を行う演出制御ユニット４００（図１４を参照）等が取り付けられている。これに対して、裏機構盤３０の後側には、遊技球の払い出しに関する制御を行う払出制御装置４２や、遊技施設側から受電して各種制御装置や電気・電子部品に電力を供給する電源基板ユニット４３等が取り付けられている。これらの制御装置とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル９を回動操作することにより遊技が開始される。発射ハンドル９が回動操作されると、上球皿６ａに貯留された遊技球が、整流器２１によって１球ずつ発射機構２２に送り出され、発射機構２２により遊技領域ＰＡに打ち出されて、以降パチンコゲームが展開される。
【００１９】
［収容枠の構成］
次に、図５〜図９を追加参照して、前枠２の上側に設けられた収容枠１００の詳細につ
いて説明する。収容枠１００は、図５に示すように、前枠２の上部にから中央に掛けて形成される。収容枠１００の左辺部上側には、遊技盤２００の左上部前面側を支持する上部揺動支持部１０１が形成される。上部揺動支持部１０１は、収容枠１００の内側（右方）に突出する板状に形成される。収容枠１００の左辺部下側には、遊技盤２００の左下部前面側を支持する第１下部揺動支持部１０３が形成される。第１下部揺動支持部１０３は、上部揺動支持部１０１と同様に、収容枠１００の内側（右方）に突出する板状に形成される。収容枠１００の下辺部左端には、遊技盤２００の左下部底面側を支持する第２下部揺動支持部１０４が形成される。第２下部揺動支持部１０４は、遊技盤２００の左下部底面側が摺動可能な平板状に形成される。上部揺動支持部１０１、第１下部揺動支持部１０３、および第２下部揺動支持部１０４は、収容枠１００に対して遊技盤２００を着脱可能な着脱位置（図８を参照）と、遊技盤２００が収容枠１００に保持される保持位置（図９（ｂ）を参照）との間で、遊技盤２００を揺動可能に支持する。
【００２０】
収容枠１００の下辺部左側には、遊技盤２００を揺動させ易くするためのガイドリブ１０５が形成される。ガイドリブ１０５は、第２下部揺動支持部１０４の右側に隣接して形成される。収容枠１００の下辺部中央には、遊技盤２００の中央下部底面側を支持する下側支持部１０７が形成される。また、収容枠１００の左辺部上側における上部揺動支持部１０１の後方に、上部押さえ部材１１１が取り付けられる。上部押さえ部材１１１は、板バネ等の弾性力を有する金属板材を用いて形成され、遊技盤２００の左上部後面側を前方に（上部揺動支持部１０１の方に）押さえるようになっている。また、収容枠１００の左辺部下側における第１下部揺動支持部１０３の後方に、下部押さえ部材１１２が取り付けられる。下部押さえ部材１１２は、上部押さえ部材１１１と同様に形成され、遊技盤２００の左下部後面側を前方に（第１下部揺動支持部１０３の方に）押さえるようになっている。
【００２１】
収容枠１００の上辺部右側には、保持位置に揺動した遊技盤２００の右上部を係脱可能に固定保持する上部ロック機構１２１が設けられる。収容枠１００の下辺部右側には、保持位置に揺動した遊技盤２００の右下部を係脱可能に固定保持する下部ロック機構１２２が設けられる。なお、前枠２における収容枠１００の右上方部分の前面側に、前枠２に対するガラス枠５の開閉を検出する上部開閉センサ１３１が設けられる。また、前枠２における収容枠１００の右下方部分の前面側に、前枠２に対するガラス枠５の開閉を検出する下部開閉センサ１３２が設けられる。
【００２２】
図６に示すように、収容枠１００の上辺部の後側に、裏機構盤３０の上側部分が取り付けられる。収容枠１００の左辺部の後側に、補強板（図示せず）を介して裏機構盤３０の左側部分が取り付けられる。収容枠１００の下辺部（遊技補助盤２０）の後側に、前側通路カバー１３６を介して裏機構盤３０の下側部分が取り付けられる。なお、遊技補助盤２０の後側に位置する前側通路カバー１３６の前部に、遊技領域ＰＡを転動流下して遊技盤２００の後面側に排出された遊技球を、裏機構盤３０の下側部分に形成された球排出口（図示せず）に向けて流下させる遊技球排出通路（図示せず）が形成される。また、前側通路カバー１３６の右上部にコネクタ取付部１３８が後方に突出して形成され、このコネクタ取付部１３８に、前枠２側に設けられた電気部品（例えば、ガラス枠５の電飾装置７およびスピーカ８や、裏機構盤３０の払出制御装置４２および電源基板ユニット４３等）と電気的に接続された枠部材側コネクタ部１５０が取り付けられる。
【００２３】
枠部材側コネクタ部１５０は、図５および図６に示すように、主基板用枠部材側コネクタ１５１と、第１副基板用枠部材側コネクタ１５３と、第２副基板用枠部材側コネクタ１５５と、コネクタ保持部材１６１とを有して構成される。主基板用枠部材側コネクタ１５１は、当該主基板用枠部材側コネクタ１５１が設けられる主基板用枠部材側ケーブル１５２を介して、前枠２側に設けられた主制御装置４０に関わる電気部品（例えば、裏機構盤
３０の払出制御装置４２および電源基板ユニット４３等）と電気的に接続される。第１副基板用枠部材側コネクタ１５３は、当該第１副基板用枠部材側コネクタ１５３が設けられる第１副基板用枠部材側ケーブル１５４を介して、前枠２側に設けられた演出制御ユニット４００に関わる電気部品（例えば、裏機構盤３０の電源基板ユニット４３等）と電気的に接続される。第２副基板用枠部材側コネクタ１５５は、当該第２副基板用枠部材側コネクタ１５５が設けられる第２副基板用枠部材側ケーブル１５６を介して、前枠２側に設けられた演出制御ユニット４００に関わる電気部品（例えば、ガラス枠５の電飾装置７およびスピーカ８等）と電気的に接続される。
【００２４】
コネクタ保持部材１６１は、主基板用枠部材側コネクタ１５１、第１副基板用枠部材側コネクタ１５３および第２副基板用枠部材側コネクタ１５５を保持して前側通路カバー１３６のコネクタ取付部１３８に取り付けられる。これにより、主基板用枠部材側コネクタ１５１、第１副基板用枠部材側コネクタ１５３および第２副基板用枠部材側コネクタ１５５は、左右に略平行に並んで前方を向くように、収容枠１００の右下部後側に取り付け保持される。
【００２５】
収容枠１００にセット保持される遊技盤２００（ベース部材２１１）の下部後側には、図７に示すように下側ブラケット２５０が取り付けられる。下側ブラケット２５０は、樹脂材料を用いて、平断面視「コ」の字形の台形状に形成される。下側ブラケット２５０の後部左側に基板取付部２５１が形成され、この基板取付部２５１に、主制御基板４０ａ（図９（ｂ）を参照）が主基板ケース４０ｂに収容されて構成された主制御装置４０が取り付けられる。下側ブラケット２５０の後部右側にコネクタ取付部２５２が形成され、このコネクタ取付部２５２に、遊技盤２００側に設けられた電気部品（主制御装置４０および演出制御ユニット４００）と電気的に接続された遊技盤側コネクタ部２６０が取り付けられる。遊技盤側コネクタ部２６０は、主基板用コネクタ基板２６１と、副基板用コネクタ基板２７１と、基板保持部材２８１と、コネクタカバー２９１とを有して構成される。
【００２６】
図１４に示すように、主基板用コネクタ基板２６１の実装面には、主基板用遊技盤側コネクタ２６４と主基板接続コネクタ２６５とが左右に並んで配設される。主基板接続コネクタ２６５は、主基板用コネクタ基板２６１の左側に配置される。主基板接続コネクタ２６５は、主基板接続ケーブル２６８を介して、主制御装置４０（主制御基板４０ａ）の右側に配設された右側コネクタ４０ｃと電気的に接続される。これにより、主基板用コネクタ基板２６１が主制御装置４０と電気的に接続される。主基板用遊技盤側コネクタ２６４は、主基板用コネクタ基板２６１の右側に配置され、主制御装置４０と電気的に接続されるように構成される。主基板用遊技盤側コネクタ２６４は、遊技盤２００が前述の保持位置に揺動すると、枠部材側コネクタ部１５０の主基板用枠部材側コネクタ１５１と嵌合して電気的に接続されるようになっている。
【００２７】
副基板用コネクタ基板２７１の実装面には、下部において第１副基板用遊技盤側コネクタ２７４と第２副基板用遊技盤側コネクタ２７５とが左右に並んで配設され、上部において第１副基板接続コネクタ２７６と第２副基板接続コネクタ２７７とが上下に並んで配設される。第１副基板接続コネクタ２７６は、副基板用コネクタ基板２７１の上部において第２副基板接続コネクタ２７７の下側に配置される。第２副基板接続コネクタ２７７は、副基板用コネクタ基板２７１の上部において第１副基板接続コネクタ２７６の上側に配置される。第１副基板接続コネクタ２７６は、第１副基板接続ケーブル（図示せず）を介して、演出制御ユニット４００のサブサブ基板４２０（図１８を参照）と電気的に接続される。第２副基板接続コネクタ２７７は、第２副基板接続ケーブル（図示せず）を介して、演出制御ユニット４００のサブメイン基板４１０（図１８を参照）と電気的に接続される。これにより、副基板用コネクタ基板２７１が演出制御ユニット４００と電気的に接続される。
【００２８】
第１副基板用遊技盤側コネクタ２７４は、副基板用コネクタ基板２７１の下部左側に配置され、演出制御ユニット４００と電気的に接続されるように構成される。第１副基板用遊技盤側コネクタ２７４は、遊技盤２００が前述の保持位置に揺動すると、枠部材側コネクタ部１５０の第１副基板用枠部材側コネクタ１５３と嵌合して電気的に接続されるようになっている。第２副基板用遊技盤側コネクタ２７５は、副基板用コネクタ基板２７１の下部右側に配置され、演出制御ユニット４００と電気的に接続されるように構成される。第２副基板用遊技盤側コネクタ２７５は、遊技盤２００が前述の保持位置に揺動すると、枠部材側コネクタ部１５０の第２副基板用枠部材側コネクタ１５５と嵌合して電気的に接続されるようになっている。
【００２９】
基板保持部材２８１は、図７に示すように、樹脂材料を用いて台形状に形成され、下側ブラケット２５０のコネクタ取付部２５２に取り付けられる。基板保持部材２８１の左側下部には、主基板用コネクタ基板２６１を保持する主基板用基板保持部２８２が形成される。基板保持部材２８１の右側には、副基板用コネクタ基板２７１を保持する副基板用基板保持部２８５が形成される。基板保持部材２８１は、主基板用コネクタ基板２６１および副基板用コネクタ基板２７１を保持して、下側ブラケット２５０のコネクタ取付部２５２に取り付けられる。なお、主基板用コネクタ基板２６１と副基板用コネクタ基板２７１とは、基板保持部材２８１を介して、左右に略平行に並んで遊技盤２００の右下部後側に取り付けられる。これにより、主基板用遊技盤側コネクタ２６４、第１副基板用遊技盤側コネクタ２７４および第２副基板用遊技盤側コネクタ２７５は、左右に略平行に並んで後方を向くように、遊技盤２００の右下部後側に取り付け保持される。
【００３０】
なお、主基板用枠部材側コネクタ１５１と主基板用遊技盤側コネクタ２６４とは、図８および図９に示すように、遊技盤２００が前述の保持位置に揺動した状態で、遊技盤２００の揺動軸Ａｚと主基板用枠部材側コネクタ１５１（または、第１副基板用枠部材側コネクタ１５３、第２副基板用枠部材側コネクタ１５５）とを通る平面（以下、説明のためコネクタ配置平面Ｓｚと称する）に対し、略垂直な方向を向いて対向するように配置される。また、第１副基板用枠部材側コネクタ１５３および第２副基板用枠部材側コネクタ１５５と第１副基板用遊技盤側コネクタ２７４および第２副基板用遊技盤側コネクタ２７５とは、遊技盤２００が前述の保持位置に揺動した状態で、コネクタ配置平面Ｓｚに対し略垂直な方向を向いて対向するように配置される。
【００３１】
ここで、遊技盤２００の揺動軸Ａｚは、例えば、遊技盤２００が揺動する際に当接する上部揺動支持部１０１および第１下部揺動支持部１０３の後側の角隅部をそれぞれ通る軸に設定されるが、これに限られるものではない。また、遊技盤２００の揺動軸Ａｚと主基板用枠部材側コネクタ１５１とを通るコネクタ配置平面Ｓｚは、遊技盤２００の揺動軸Ａｚと第１副基板用枠部材側コネクタ１５３とを通る平面であってもよく、遊技盤２００の揺動軸Ａｚと第２副基板用枠部材側コネクタ１５５とを通る平面であってもよい。すなわち、コネクタ配置平面Ｓｚは、遊技盤２００の揺動軸Ａｚと、主基板用枠部材側コネクタ１５１、第１副基板用枠部材側コネクタ１５３、および第２副基板用枠部材側コネクタ１５５のうち、少なくともいずれかを通る平面に設定することができる。
【００３２】
コネクタカバー２９１は、図７に示すように、透明の樹脂材料を用いて蓋状に形成され、基板保持部材２８１の後面側に保持された、主基板用コネクタ基板２６１の主基板接続コネクタ２６５と、副基板用コネクタ基板２７１の第１副基板接続コネクタ２７６および第２副基板接続コネクタ２７７とを覆うように構成される。コネクタカバー２９１の左下部には、主基板接続コネクタ２６５を覆う主基板用コネクタカバー部２９２が形成される。コネクタカバー２９１の左上部には、第１副基板接続コネクタ２７６および第２副基板接続コネクタ２７７を覆う副基板用コネクタカバー部２９３が形成される。
【００３３】
以上のように構成される収容枠１００に遊技盤２００を装着するには、まず、遊技盤２００の左側部を、上部揺動支持部１０１および第１下部揺動支持部１０３の後側の空間に右前方から斜めに挿入し、図８に示すように、遊技盤２００を前述の着脱位置にセットする。次に、図９（ａ）に示すように、着脱位置にセットした遊技盤２００を後方に向けて揺動させる。そして、図９（ｂ）に示すように、遊技盤２００を前述の保持位置まで揺動させる。これにより、遊技盤２００の右上部が上部ロック機構１２１に固定保持されるとともに、遊技盤２００の右下部が下部ロック機構１２２に固定保持された状態で、保持位置に揺動した遊技盤２００が収容枠１００にセット保持される。
【００３４】
遊技盤２００が保持位置に揺動する際、主基板用遊技盤側コネクタ２６４と主基板用枠部材側コネクタ１５１とが嵌合して電気的に接続され、遊技盤２００側に設けられた主制御装置４０と、前枠２側に設けられた主制御装置４０に関わる電気部品（例えば、裏機構盤３０の払出制御装置４２および電源基板ユニット４３等）とが電気的に接続される。また、遊技盤２００が保持位置に揺動する際、第１副基板用遊技盤側コネクタ２７４および第２副基板用遊技盤側コネクタ２７５と、第１副基板用枠部材側コネクタ１５３および第２副基板用枠部材側コネクタ１５５とが嵌合して電気的に接続され、遊技盤２００側に設けられた演出制御ユニット４００と、前枠２側に設けられた演出制御ユニット４００に関わる電気部品（例えば、裏機構盤３０の電源基板ユニット４３、ガラス枠５の電飾装置７およびスピーカ８等）とが電気的に接続される。
【００３５】
［遊技盤の後側の構成］
次に、図１０〜図１４を追加参照して、遊技盤２００（ベース部材２１１）の後側に設けられる部品の配置について説明する。前述したように、遊技盤２００の遊技領域ＰＡには、センター飾り２２６が設けられる。センター飾り２２６は、図１０および図１２に示すように、樹脂材料を用いて枠状に形成され、ベース部材２１１の中央部に形成された開口部に取り付けられる。センター飾り２２６の内側には、遊技盤２００の前方から遊技盤２００の後側を視認可能な視認部２２６ａが開口形成される。
【００３６】
図１０および図１１に示すように、センター飾り２２６の上部後側に、上部可動装飾装置２２７が配設される。視認部２２６ａの上部を塞ぐように上部可動装飾装置２２７の装飾部材が配置され、遊技盤２００の前方から上部可動装飾装置２２７の装飾部材を視認できるようになっている。センター飾り２２６の下部後側に、下部可動装飾装置２２８が配設される。遊技盤２００の前方から視認部２２６ａを介して、下部可動装飾装置２２８の装飾部材を視認できるようになっている。
【００３７】
下部可動装飾装置２２８の後方に並んで、主制御装置４０が配設される。前述したように、主制御装置４０は、遊技盤２００（ベース部材２１１）の下部後側に取り付けられた下側ブラケット２５０（図７を参照）に取り付け固定される。また、下側ブラケット２５０における主制御装置４０の右方に並んで、遊技盤側コネクタ部２６０（図７を参照）が取り付けられる。
【００３８】
上部可動装飾装置２２７と下部可動装飾装置２２８との中間部の後方に、画像表示装置３００および演出制御ユニット４００が並んで配設される。画像表示装置３００は、遊技盤２００（ベース部材２１１）の上部後側に取り付けられた上側ブラケット３５０（図４および図１１を参照）に取り付け固定される。上部可動装飾装置２２７と下部可動装飾装置２２８との間に、視認部２２６ａの後方に繋がる間隙部が形成され、遊技盤２００の前方から視認部２２６ａを介して、画像表示装置３００の画面３１１を視認できるようになっている。なお、画像表示装置３００の上端部は、上部可動装飾装置２２７の後方近傍に配置される。また、画像表示装置３００の下端部は、下部可動装飾装置２２８と主制御装
置４０との間隙部に配置される。
【００３９】
演出制御ユニット４００は、画像表示装置３００の後側に重ねて結合され、主制御装置４０の真上に並んで配置されるようになっている。このようにして、図１３〜図１５に示すように、遊技盤２００の下部後側に主制御装置４０および遊技盤側コネクタ部２６０が設けられる。また、遊技盤２００の中間部後側に画像表示装置３００および演出制御ユニット４００が設けられ、画像表示装置３００の後側に重ねて結合された大型の演出制御ユニット４００が主制御装置４０の真上に並んで配置される。
【００４０】
［画像表示装置および演出制御ユニットの構成］
次に、図１５〜図１８を追加参照して、画像表示装置３００および演出制御ユニット４００について説明する。画像表示装置３００は、図１１および図１５に示すように、液晶表示ユニット３１０と、液晶ドライバ３２０と、液晶ケース３３０とを有して構成される。液晶表示ユニット３１０は、前面側に形成された画面３１１に画像を表示することができるようになっている。液晶表示ユニット３１０の画面３１１は、透明の液晶ケース３３０の前側部分に覆われており、液晶ケース３３０に収容された液晶表示ユニット３１０の画面３１１を、液晶ケース３３０の前方外側から視認できるようになっている。液晶ドライバ３２０は、液晶表示ユニット３１０と、演出制御ユニット４００の画像制御基板４３０（図１８を参照）とに電気的に接続される。液晶ドライバ３２０は、画像制御基板４３０から送信される画像制御信号に応じて、液晶表示ユニット３１０に画像を表示させる制御を行う。
【００４１】
液晶ケース３３０は、透明の樹脂材料を用いて箱状に形成され、液晶表示ユニット３１０および液晶ドライバ３２０を内部に収容する。液晶ケース３３０は、液晶表示ユニット３１０の画面３１１が前方を向くように上側ブラケット３５０に取り付け固定され、遊技盤２００の前方からセンター飾り２２６の視認部２２６ａを介して、液晶表示ユニット３１０の画面３１１が視認されるようになっている。図１５に示すように、液晶ケース３３０の四つの隅部に固定穴部３３１が貫通形成され、この固定穴部３３１に、画像表示装置３００（液晶ケース３３０）を上側ブラケット３５０に取り付け固定するための固定ネジ（図示せず）が挿通される。
【００４２】
図１７および図１８に示すように、液晶ケース３３０の左下部後側に、演出制御ユニット４００を結合させる結合ネジ３３８（図１５を参照）がネジ固定される第１ネジ穴部３３２ａが形成される。液晶ケース３３０の右下部後側に、結合ネジ３３８がネジ固定される第２ネジ穴部３３２ｂが形成される。液晶ケース３３０の左上部後側に、結合ネジ３３８がネジ固定される第３ネジ穴部３３２ｃが形成される。液晶ケース３３０の右上部後側に、結合ネジ３３８がネジ固定される第４ネジ穴部３３２ｄが形成される。また、液晶ケース３３０の右端部後側に、後述の位置調整手段４９０を構成する、スライドガイド部３３３と、第１および第２係合ガイド部３３４，３３４ｂとが形成される（詳細は後述する）。
【００４３】
演出制御ユニット４００は、図１４および図１８に示すように、サブメイン基板４１０と、サブサブ基板４２０と、画像制御基板４３０と、中継基板４４０と、演出基板ケース４５０とを有して構成される。図１８に示すように、サブメイン基板４１０は、基板接続コネクタ４１５を介してサブサブ基板４２０と電気的に接続される。また、サブメイン基板４１０は、主制御装置４０（主制御基板４０ａ）、副基板用コネクタ基板２７１等と電気的に接続される。サブメイン基板４１０の実装面には、サブメインＣＰＵ（図示せず）等が配設される。
【００４４】
サブサブ基板４２０は、基板接続コネクタ４１５を介してサブメイン基板４１０と電気
的に接続されるとともに、画像制御コネクタ４２５を介して画像制御基板４３０と電気的に接続される。また、サブサブ基板４２０は、中継基板４４０、副基板用コネクタ基板２７１等と電気的に接続される。サブサブ基板４２０の実装面には、サブサブＣＰＵ（図示せず）、画像制御ＲＯＭ４２１、音声制御ＲＯＭ４２２等が配設される。また、画像制御基板４３０は、画像表示装置３００の液晶ドライバ３２０等と電気的に接続される。中継基板４４０（図１４を参照）は、上部可動装飾装置２２７、下部可動装飾装置２２８等、遊技盤２００に設けられる各種演出装置と電気的に接続される。
【００４５】
演出基板ケース４５０は、ケース本体部材４５１と、シールド部材４６１と、ケース蓋部材４７１と、中継基板カバー４８１（図１４を参照）とを有して構成される。ケース本体部材４５１は、透明の樹脂材料を用いて容器状に形成され、制御基板収容部４５２と、中継基板取付部４５３とを主体に構成される。ケース本体部材４５１の制御基板収容部４５２に、後方から制御基板収容部４５２を覆うようにケース蓋部材４７１が結合され、ケース本体部材４５１（制御基板収容部４５２）とケース蓋部材４７１とが結合されて形成されるケース内部に、サブメイン基板４１０と、サブサブ基板４２０と、画像制御基板４３０と、シールド部材４６１とが収容される。
【００４６】
制御基板収容部４５２は、ケース本体部材４５１の左側に後方を向いて形成される。制御基板収容部４５２の下部右側に、サブメイン基板４１０が取り付けられる。制御基板収容部４５２の下部左側に、サブメイン基板４１０の左方に隣接してサブサブ基板４２０が取り付けられる。制御基板収容部４５２の上部に、サブサブ基板４２０の上方に隣接して画像制御基板４３０が取り付けられる。また、制御基板収容部４５２に、サブメイン基板４１０と、サブサブ基板４２０と、画像制御基板４３０とを覆うようにシールド部材４６１が取り付けられる。
【００４７】
中継基板取付部４５３は、ケース本体部材４５１の右側に後方を向いて形成される。図１４に示すように、中継基板取付部４５３には、中継基板４４０と、この中継基板４４０を覆う中継基板カバー４８１とが取り付けられる。
【００４８】
図１５および図１８に示すように、制御基板収容部４５２の左方に突出するケース本体部材４５１の左端部下側に、第１上段結合穴部４５４ａと、第１中段結合穴部４５５ａと、第１下段結合穴部４５６ａとが上側から順に並んで形成される。第１上段結合穴部４５４ａは、画像表示装置３００が演出制御ユニット４００に対して最も上側の上段位置に位置する場合に、液晶ケース３３０の第１ネジ穴部３３２ａと位置整合するように配置される。画像表示装置３００が上段位置に位置する状態で画像表示装置３００と演出制御ユニット４００とが結合される際、結合ネジ３３８が第１上段結合穴部４５４ａに挿通されて液晶ケース３３０の第１ネジ穴部３３２ａにネジ固定される。
【００４９】
第１中段結合穴部４５５ａは、画像表示装置３００が演出制御ユニット４００に対して上段位置より下側の中段位置に位置する場合に、液晶ケース３３０の第１ネジ穴部３３２ａと位置整合するように配置される。画像表示装置３００が中段位置に位置する状態で画像表示装置３００と演出制御ユニット４００とが結合される際、結合ネジ３３８が第１中段結合穴部４５５ａに挿通されて液晶ケース３３０の第１ネジ穴部３３２ａにネジ固定される。
【００５０】
第１下段結合穴部４５６ａは、画像表示装置３００が演出制御ユニット４００に対して中段位置より下側の下段位置に位置する場合に、液晶ケース３３０の第１ネジ穴部３３２ａと位置整合するように配置される。画像表示装置３００が下段位置に位置する状態で画像表示装置３００と演出制御ユニット４００とが結合される際、結合ネジ３３８が第１下段結合穴部４５６ａに挿通されて液晶ケース３３０の第１ネジ穴部３３２ａにネジ固定さ
れる。
【００５１】
中継基板取付部４５３の右方に突出するケース本体部材４５１の右端部下側に、第２上段結合穴部４５４ｂと、第２中段結合穴部４５５ｂと、第２下段結合穴部４５６ｂとが上側から順に並んで形成される。第２上段結合穴部４５４ｂは、画像表示装置３００が演出制御ユニット４００に対して前述の上段位置に位置する場合に、液晶ケース３３０の第２ネジ穴部３３２ｂと位置整合するように配置される。画像表示装置３００が上段位置に位置する状態で画像表示装置３００と演出制御ユニット４００とが結合される際、結合ネジ３３８が第２上段結合穴部４５４ｂに挿通されて液晶ケース３３０の第２ネジ穴部３３２ｂにネジ固定される。
【００５２】
第２中段結合穴部４５５ｂは、画像表示装置３００が演出制御ユニット４００に対して前述の中段位置に位置する場合に、液晶ケース３３０の第２ネジ穴部３３２ｂと位置整合するように配置される。画像表示装置３００が中段位置に位置する状態で画像表示装置３００と演出制御ユニット４００とが結合される際、結合ネジ３３８が第２中段結合穴部４５５ｂに挿通されて液晶ケース３３０の第２ネジ穴部３３２ｂにネジ固定される。
【００５３】
第２下段結合穴部４５６ｂは、画像表示装置３００が演出制御ユニット４００に対して前述の下段位置に位置する場合に、液晶ケース３３０の第２ネジ穴部３３２ｂと位置整合するように配置される。画像表示装置３００が下段位置に位置する状態で画像表示装置３００と演出制御ユニット４００とが結合される際、結合ネジ３３８が第２下段結合穴部４５６ｂに挿通されて液晶ケース３３０の第２ネジ穴部３３２ｂにネジ固定される。
【００５４】
ケース本体部材４５１の左端部上側に、第３上段結合穴部４５４ｃと、第３中段結合穴部４５５ｃとが上側から順に並んで形成される。第３上段結合穴部４５４ｃは、画像表示装置３００が演出制御ユニット４００に対して前述の上段位置に位置する場合に、液晶ケース３３０の第３ネジ穴部３３２ｃと位置整合するように配置される。画像表示装置３００が上段位置に位置する状態で画像表示装置３００と演出制御ユニット４００とが結合される際、結合ネジ３３８が第３上段結合穴部４５４ｃに挿通されて液晶ケース３３０の第３ネジ穴部３３２ｃにネジ固定される。
【００５５】
第３中段結合穴部４５５ｃは、画像表示装置３００が演出制御ユニット４００に対して前述の中段位置に位置する場合に、液晶ケース３３０の第３ネジ穴部３３２ｃと位置整合するように配置される。画像表示装置３００が中段位置に位置する状態で画像表示装置３００と演出制御ユニット４００とが結合される際、結合ネジ３３８が第３中段結合穴部４５５ｃに挿通されて液晶ケース３３０の第３ネジ穴部３３２ｃにネジ固定される。
【００５６】
ケース本体部材４５１の右端部上側に、第４上段結合穴部４５４ｄと、第４中段結合穴部４５５ｄとが上側から順に並んで形成される。また、ケース本体部材４５１の右端部外周側に、後述の位置調整手段４９０を構成する、第１および第２係合片４５７ａ，４５７ｂが形成される（詳細は後述する）。第４上段結合穴部４５４ｄは、画像表示装置３００が演出制御ユニット４００に対して前述の上段位置に位置する場合に、液晶ケース３３０の第４ネジ穴部３３２ｄと位置整合するように配置される。画像表示装置３００が上段位置に位置する状態で画像表示装置３００と演出制御ユニット４００とが結合される際、結合ネジ３３８が第４上段結合穴部４５４ｄに挿通されて液晶ケース３３０の第４ネジ穴部３３２ｄにネジ固定される。
【００５７】
第４中段結合穴部４５５ｄは、画像表示装置３００が演出制御ユニット４００に対して前述の中段位置に位置する場合に、液晶ケース３３０の第４ネジ穴部３３２ｄと位置整合するように配置される。画像表示装置３００が中段位置に位置する状態で画像表示装置３
００と演出制御ユニット４００とが結合される際、結合ネジ３３８が第４中段結合穴部４５５ｄに挿通されて液晶ケース３３０の第４ネジ穴部３３２ｄにネジ固定される。
【００５８】
シールド部材４６１は、金属材料を用いて板状に形成され、ケース内部で、サブメイン基板４１０、サブサブ基板４２０、および画像制御基板４３０の各実装面を覆うように構成される。シールド部材４６１の天井部に、ケース内部の排熱を行うための通気孔４６２が複数形成される。
【００５９】
ケース蓋部材４７１は、透明の樹脂材料を用いて蓋状に形成され、ネジ等の結合手段を用いて、ケース本体部材４５１の制御基板収容部４５２に結合される。ケース蓋部材４７１の天井部に、ケース内部の排熱を行うための通気孔４７２が複数形成される。なお、ケース蓋部材４７１の通気孔４７２は、シールド部材４６１の通気孔４６２と位置整合して形成されるようになっている。ケース蓋部材４７１の上下側部および右側部に、サブメイン基板４１０、サブサブ基板４２０、および画像制御基板４３０にそれぞれ設けられた外部接続コネクタ（図示せず）を外部露出させるコネクタ露出部４７３が複数形成される。
【００６０】
中継基板カバー４８１は、透明の樹脂材料を用いて蓋状に形成され、ケース本体部材４５１の中継基板取付部４５３に取り付けられて中継基板４４０を覆うようになっている。中継基板カバー４８１の天井部に、カバー内部の排熱を行うための通気孔４８２が複数形成される。中継基板カバー４８１において中継基板４４０のコネクタと対向する位置に、コネクタ開口部４８３が形成される。コネクタ開口部４８３は、中継基板４４０（遊技盤２００）の種類が変わっても外部からコネクタを挿通させることができるように、中継基板カバー４８１の幅とほぼ同じ幅（若干小さい幅）を有して大きめに形成される。これにより、中継基板４４０（遊技盤２００）の種類に拘わらず中継基板カバー４８１を共用化することができ、ぱちんこ遊技機ＰＭの製造コストを低減させることができる。
【００６１】
演出制御ユニット４００は、画像表示装置３００とほぼ同じ大きさに形成され、画像表示装置３００の後側に上方へオフセットするように重ねて結合される。画像表示装置３００と演出制御ユニット４００とが結合された状態での上下のオフセット量は、画像表示装置３００を演出制御ユニット４００に対して前述の上段位置、中段位置、下段位置のいずれかに変位させることにより、遊技盤２００の種類（センター飾り２２６の視認部２２６ａの配置）に応じて変更できるようになっている。本実施形態では、画像表示装置３００と演出制御ユニット４００とに跨って、画像表示装置３００と演出制御ユニット４００との上下のオフセット量（相対位置関係）を変えるための位置調整手段４９０が設けられる。
【００６２】
位置調整手段４９０は、図１７に示すように、画像表示装置３００の液晶ケース３３０に形成された、スライドガイド部３３３と、第１および第２係合ガイド部３３４，３３４ｂと、演出制御ユニット４００のケース本体部材４５１に形成された、第１および第２係合片４５７ａ，４５７ｂとを有して構成される。図１５に示すように、スライドガイド部３３３は、液晶ケース３３０の右端部後側で上下に離れた二箇所に、突起状に形成される。スライドガイド部３３３は、演出制御ユニット４００のケース本体部材４５１の右側面部に摺接し、画像表示装置３００および演出制御ユニット４００のうち一方が他方に対し上下方向にスライド移動できるようにガイドする。
【００６３】
第１係合ガイド部３３４ａと第２係合ガイド部３３４ｂは、液晶ケース３３０の右端部後側で上下に離れたスライドガイド部３３３，３３３の間に、上下方向に延びて繋がる板状に形成される。図１６に示すように、第１係合ガイド部３３４ａと第２係合ガイド部３３４ｂの前方に隣接する液晶ケース３３０の空間部に、第１係合片４５７ａと第２係合片４５７ｂを受容可能な係合片受容部３３５が形成される。第１係合ガイド部３３４ａは、
第２係合ガイド部３３４ｂの下方で上下方向に延びる断面視波形の板状に形成される。第１係合ガイド部３３４ａは、係合片受容部３３５に受容された第１係合片４５７ａと係合するようになっている。第２係合ガイド部３３４ｂは、第１係合ガイド部３３４ａの上方で上下方向に延びる断面視波形の板状に形成される。第２係合ガイド部３３４ｂは、係合片受容部３３５に受容された第２係合片４５７ｂと係合するようになっている。
【００６４】
図１５に示すように、第２係合ガイド部３３４ｂの下端部後側（表側）に、所定のマーク（例えば、「Ａ」のマーク）が描かれた第１係合マーク部３３６Ａが形成される。第２係合ガイド部３３４ｂにおける第１係合マーク部３３６Ａの上方に並んだ位置に、所定のマーク（例えば、「Ｂ」のマーク）が描かれた第２係合マーク部３３６Ｂが形成される。第２係合ガイド部３３４ｂにおける第２係合マーク部３３６Ｂの上方に並んだ位置に、所定のマーク（例えば、「Ｃ」のマーク）が描かれた第３係合マーク部３３６Ｃが形成される。
【００６５】
図１６および図１７に示すように、第１係合片４５７ａは、演出制御ユニット４００のケース本体部材４５１の右端部外周側に、第２係合片４５７ｂの下方で上下方向に延びる断面視波形の板状に形成される。第１係合片４５７ａは、ケース本体部材４５１の右側面部にスライドガイド部３３３が摺接した状態で、係合片受容部３３５に受容され、第１係合ガイド部３３４ａと係合するようになっている。第２係合片４５７ｂは、ケース本体部材４５１の右端部外周側に、第１係合片４５７ａの上方で上下方向に延びる断面視波形の板状に形成される。第２係合片４５７ｂは、ケース本体部材４５１の右側面部にスライドガイド部３３３が摺接した状態で、係合片受容部３３５に受容され、第２係合ガイド部３３４ｂと係合するようになっている。
【００６６】
第１係合ガイド部３３４ａは、第１係合片４５７ａよりも長く形成される。第１係合ガイド部３３４ａおよび第１係合片４５７ａの波形のピッチは、演出制御ユニット４００のケース本体部材４５１に形成された、第１〜第４上段結合穴部４５４ａ〜４５４ｄ、第１〜第４中段結合穴部４５５ａ〜４５５ｄ、および第１〜第２下段結合穴部４５６ａ〜４５６ｂの上下のピッチ間隔と同じになるように設定される。また、第２係合ガイド部３３４ｂおよび第２係合片４５７ｂは、第１係合ガイド部３３４ａおよび第１係合片４５７ａと同様に形成される。これにより、画像表示装置３００が演出制御ユニット４００に対して前述の上段位置、中段位置、下段位置の間で（間欠的に）スライド移動すると、第１係合片４５７ａおよび第２係合片４５７ｂが、第１係合ガイド部３３４ａおよび第２係合ガイド部３３４ｂに対し上下方向にスライド移動して、第１係合ガイド部３３４ａおよび第２係合ガイド部３３４ｂとの係合位置が変化するようになっている。
【００６７】
ケース本体部材４５１の右端部後側における第２係合片４５７ｂの近傍に、所定のマーク（例えば、「右方を向く矢印」のマーク）が描かれた位置合せマーク部４５８が形成される。画像表示装置３００が前述の上段位置に変位すると、位置合せマーク部４５８が第１係合マーク部３３６Ａの左方近傍に移動し、画像表示装置３００が前述の中段位置に変位すると、位置合せマーク部４５８が第２係合マーク部３３６Ｂの左方近傍に移動し、画像表示装置３００が前述の下段位置に変位すると、位置合せマーク部４５８が第３係合マーク部３３６Ｃの左方近傍に移動するようになっている。
【００６８】
次に、以上のように構成される画像表示装置３００と演出制御ユニット４００とを結合させる方法について説明する。まず、演出制御ユニット４００を画像表示装置３００の後側に重ねて配置する。このとき、演出制御ユニット４００（ケース本体部材４５１）の第１係合片４５７ａおよび第２係合片４５７ｂを画像表示装置３００（液晶ケース３３０）の係合片受容部３３５に挿入して受容させ、画像表示装置３００（液晶ケース３３０）のスライドガイド部３３３を演出制御ユニット４００（ケース本体部材４５１）の右側面部
に摺接させる。次に、前述の上段位置、中段位置、下段位置のいずれかに位置するように、画像表示装置３００を演出制御ユニット４００に対してスライド移動させる。
【００６９】
前述したように、演出制御ユニット４００と結合された画像表示装置３００（液晶ケース３３０）が上側ブラケット３５０に取り付け固定される。このとき、位置調整手段４９０により、遊技盤２００の種類（センター飾り２２６の視認部２２６ａの配置）に拘わらず、演出制御ユニット４００が主制御装置４０の真上に並んで配置されるように、すなわち、演出制御ユニット４００と主制御装置４０との上下方向の相対位置関係が一定となるように、画像表示装置３００と演出制御ユニット４００との上下方向の相対位置関係が調整される。
【００７０】
例えば、センター飾り２２６の視認部２２６ａの配置に応じて、画像表示装置３００を上段位置に変位させる場合、演出制御ユニット４００の位置合せマーク部４５８が画像表示装置３００の第１係合マーク部３３６Ａの左方近傍に位置するように、画像表示装置３００および演出制御ユニット４００のうち一方を他方に対し上下方向にスライド移動させる。そうすると、演出制御ユニット４００の第１係合片４５７ａおよび第２係合片４５７ｂが、画像表示装置３００（液晶ケース３３０）の第１係合ガイド部３３４ａおよび第２係合ガイド部３３４ｂの下側部分に係合し、演出制御ユニット４００（ケース本体部材４５１）の第１〜第４上段結合穴部４５４ａ〜４５４ｄが、画像表示装置３００（液晶ケース３３０）の第１〜第４ネジ穴部３３２ａ〜３３２ｄと位置整合した状態となる。そして、４つの結合ネジ３３８を第１〜第４上段結合穴部４５４ａ〜４５４ｄに挿通させて、第１〜第４ネジ穴部３３２ａ〜３３２ｄにネジ固定することにより、画像表示装置３００と演出制御ユニット４００とが上段位置で結合される。
【００７１】
また例えば、センター飾り２２６の視認部２２６ａの配置に応じて、画像表示装置３００を中段位置に変位させる場合、演出制御ユニット４００の位置合せマーク部４５８が画像表示装置３００の第２係合マーク部３３６Ｂの左方近傍に位置するように、画像表示装置３００および演出制御ユニット４００のうち一方を他方に対し上下方向にスライド移動させる。そうすると、演出制御ユニット４００の第１係合片４５７ａおよび第２係合片４５７ｂが、画像表示装置３００の第１係合ガイド部３３４ａおよび第２係合ガイド部３３４ｂの中間部分に係合し、演出制御ユニット４００の第１〜第４中段結合穴部４５５ａ〜４５５ｄが、画像表示装置３００の第１〜第４ネジ穴部３３２ａ〜３３２ｄと位置整合した状態となる。そして、４つの結合ネジ３３８を第１〜第４中段結合穴部４５５ａ〜４５５ｄに挿通させて、第１〜第４ネジ穴部３３２ａ〜３３２ｄにネジ固定することにより、画像表示装置３００と演出制御ユニット４００とが中段位置で結合される。
【００７２】
また例えば、センター飾り２２６の視認部２２６ａの配置に応じて、画像表示装置３００を下段位置に変位させる場合、演出制御ユニット４００の位置合せマーク部４５８が画像表示装置３００の第３係合マーク部３３６Ｃの左方近傍に位置するように、画像表示装置３００および演出制御ユニット４００のうち一方を他方に対し上下方向にスライド移動させる。そうすると、演出制御ユニット４００の第１係合片４５７ａおよび第２係合片４５７ｂが、画像表示装置３００の第１係合ガイド部３３４ａおよび第２係合ガイド部３３４ｂの上側部分に係合し、演出制御ユニット４００の第１〜第２下段結合穴部４５６ａ〜４５６ｂが、画像表示装置３００の第１〜第２ネジ穴部３３２ａ〜３３２ｂと位置整合した状態となる。そして、２つの結合ネジ３３８を第１〜第２下段結合穴部４５６ａ〜４５６ｂに挿通させて、第１〜第２ネジ穴部３３２ａ〜３３２ｂにネジ固定することにより、画像表示装置３００と演出制御ユニット４００とが下段位置で結合される。
【００７３】
このように、本実施形態によれば、位置調整手段４９０により、画像表示装置３００と演出制御ユニット４００との上下方向の相対位置関係を調整することで、遊技盤２００の
種類（センター飾り２２６の視認部２２６ａの配置）に拘わらず、設計的に配置の変更が難しい主制御装置４０（および遊技盤側コネクタ部２６０）と大型の演出制御ユニット４００との上下方向の相対位置関係を一定にすることが可能になる。そのため、画像表示装置３００および演出制御ユニット４００を共用化することができ、ぱちんこ遊技機ＰＭの製造コストを低減させることができる。また、上段位置、中段位置、下段位置のいずれかに位置するように、画像表示装置３００を演出制御ユニット４００に対して間欠的にスライド移動させることができるため、位置調整手段４９０による位置調整を容易に行うことができる。
【００７４】
［本実施形態における特徴構成］
［位置調整手段の特徴構成］
本実施形態において、画像表示装置３００と当該画像表示装置３００に結合される演出制御ユニット４００との相対位置関係を変えることが可能な位置調整手段４９０が設けられている。これにより、画像表示装置３００と演出制御ユニット４００との相対位置関係を調整することで、遊技盤２００の種類（センター飾り２２６の視認部２２６ａの配置）に拘わらず、設計的に配置の変更が難しい主制御装置４０（および遊技盤側コネクタ部２６０）と演出制御ユニット４００との相対位置関係を一定にすることが可能になり、画像表示装置３００および演出制御ユニット４００を共用化することができる。
【００７５】
また、位置調整手段４９０は、画像表示装置３００と演出制御ユニット４００との相対位置関係を変えることにより、上側ブラケット３５０を介して遊技盤２００の後側に固定される画像表示装置３００の位置を、センター飾り２２６の視認部２２６ａの配置に応じて調整することが可能である。これにより、遊技盤２００の種類（センター飾り２２６の視認部２２６ａの配置）に拘わらず、設計的に配置の変更が難しい主制御装置４０（および遊技盤側コネクタ部２６０）との相対位置関係が一定の状態で演出制御ユニット４００を固定することができる。
【００７６】
また、位置調整手段４９０は、画像表示装置３００および演出制御ユニット４００のうち一方を他方に対し上下方向にスライド移動させることで、画像表示装置３００と当該画像表示装置３００に結合される演出制御ユニット４００との上下方向の相対位置関係を変えることが可能である。これにより、画像表示装置３００と演出制御ユニット４００との上下方向の相対位置関係を調整することで、遊技盤２００の種類（センター飾り２２６の視認部２２６ａの配置）に拘わらず、設計的に配置の変更が難しい主制御装置４０（および遊技盤側コネクタ部２６０）と演出制御ユニット４００との上下方向の相対位置関係を一定にすることが可能になり、画像表示装置３００および演出制御ユニット４００を共用化することができる。
【００７７】
［変形例］
上述の実施形態において、画像表示装置３００および演出制御ユニット４００のうち画像表示装置３００が上側ブラケット３５０に取り付け固定されているが、これに限定されるものではなく、演出制御ユニット４００が上側ブラケット３５０等に取り付け固定されてもよい。
【００７８】
上述の実施形態において、演出制御ユニット４００は、サブメイン基板４１０と、サブサブ基板４２０と、画像制御基板４３０と、中継基板４４０とを有して構成されているが、これに限定されるものではない。例えば、中継基板４４０が演出制御ユニットに設けられずに別体に設けられてもよく、画像制御基板４３０が演出制御ユニットに設けられずに別体に設けられてもよい。すなわち、演出制御ユニットは、演出制御装置として演出に関する制御を行うように構成されていればよい。
【００７９】
上述の実施形態において、遊技盤２００の遊技領域ＰＡに、前方から画像表示装置３００の画面３１１を視認可能な視認部２２６ａが開口形成されているが、これに限定されるものではなく、視認部は、透明な板部材等により形成されて、前方から画像表示装置３００の画面３１１を視認可能に構成されてもよい。
【００８０】
上述の実施形態において、本発明が適用される弾球遊技機の一例として、ぱちんこ遊技機を例示して説明したが、これに限定されるものではなく、例えば、アレンジボール、雀球遊技機などについても同様に適用し、同様の効果を得ることができる。
【符号の説明】
【００８１】
ＰＭ  ぱちんこ遊技機（弾球遊技機）
ＰＡ  遊技領域
１  外枠
２  前枠
４０  主制御装置
（４０ａ  主制御基板、４０ｂ  主基板ケース、４０ｃ  右側コネクタ）
１００  収容枠
１５０  枠部材側コネクタ部
１５１  主基板用枠部材側コネクタ
１５３  第１副基板用枠部材側コネクタ
１５５  第２副基板用枠部材側コネクタ
２００  遊技盤
２２６  センター飾り（２２６ａ  視認部）
２６０  遊技盤側コネクタ部
２６１  主基板用コネクタ基板
２６４  主基板用遊技盤側コネクタ
２６５  主基板接続コネクタ
２７１  副基板用コネクタ基板
２７４  第１副基板用遊技盤側コネクタ
２７５  第２副基板用遊技盤側コネクタ
２７６  第１副基板接続コネクタ
２７７  第２副基板接続コネクタ
３００  画像表示装置
３１０  液晶表示ユニット
３１１  画面
３３０  液晶ケース
３３３  スライドガイド部
３３４ａ  第１係合ガイド部
３３４ｂ  第２係合ガイド部
３３５  係合片受容部
３５０  上側ブラケット（固定部材）
４００  演出制御ユニット
４１０  サブメイン基板
４２０  サブサブ基板
４３０  画像制御基板
４４０  中継基板
４５０  演出基板ケース
４５１  ケース本体部材
４５２  制御基板収容部
４５３  中継基板取付部
４５７ａ  第１係合片
４５７ｂ  第２係合片
４６１  シールド部材
４７１  ケース蓋部材
４８１  中継基板カバー
４９０  位置調整手段
【図１】
0006659948.tif 000002
【図２】
0006659948.tif 000003
【図３】
0006659948.tif 000004
【図４】
0006659948.tif 000005
【図５】
0006659948.tif 000006
【図６】
0006659948.tif 000007
【図７】
0006659948.tif 000008
【図８】
0006659948.tif 000009
【図９】
0006659948.tif 000010
【図１０】
0006659948.tif 000011
【図１１】
0006659948.tif 000012
【図１２】
0006659948.tif 000013
【図１３】
0006659948.tif 000014
【図１４】
0006659948.tif 000015
【図１５】
0006659948.tif 000016
【図１６】
0006659948.tif 000017
【図１７】
0006659948.tif 000018
【図１８】
0006659948.tif 000019